(57)【特許請求の範囲】
【請求項１】
表示部と、
前記表示部の上面に設けられ、タッチ操作を検出するタッチパネルと、
前記タッチパネルの表面及び裏面の両方に分けて配置された複数の圧電素子と、
前記表示部の表示を制御する表示制御手段と、
前記タッチパネルにより検出される前記タッチ操作よりも大きい押圧力による押圧操作を前記圧電素子からの出力電圧に応じて、前記タッチ操作とは区別して検出する押圧検出手段と、
前記タッチ操作が検出された時点では前記押圧操作を待ち受けて待機している状態であり、前記押圧検出手段により前記圧電素子の押圧操作が検出された場合に、前記表示制御手段に押圧検出信号を入力すると共に、前記押圧操作に反発する方向の力を作用させる反発用電圧として前記出力電圧と逆極性の電圧を前記圧電素子に印加する振動制御手段と、
を備え、
前記複数の圧電素子が、前記タッチパネルの上端部に配置された３つの圧電素子及び下端部に配置された３つの圧電素子を含み、前記上端部及び前記下端部各々における前記３つの圧電素子の中央の圧電素子が前記タッチパネルの表面に配置され、他の２つの圧電素子が前記タッチパネルの裏面に配置されており、
前記表示制御手段が、前記押圧検出信号が入力された場合に、前記表示部に前記表示部の画面全体が振動している様子を示す動画を振動画像として表示させ、
前記振動制御手段が、前記表示制御手段に押圧検出信号を入力した後、前記表示制御手段による前記振動画像の表示が実行されるまでの所要時間として予め設定された遅延時間の経過後に前記反発用電圧を前記圧電素子に印加する表示入力装置。
【請求項２】
前記振動制御手段が、前記タッチパネルにより検出される前記タッチ操作の位置に対応して予め設定された前記圧電素子のみに対して前記反発用電圧を印加する請求項１に記載の表示入力装置。
【請求項３】
請求項１又は２に記載の表示入力装置を備える情報処理装置。
【発明の詳細な説明】
【技術分野】
【０００１】
本発明は、タッチパネルを有する表示入力装置及び表示入力装置を備える情報処理装置に関する。
【背景技術】
【０００２】
従来から、各種の操作内容に対応するタッチキーが表示される表示部とその表示部上に設けられてユーザーによるタッチ操作の位置を検出するタッチパネルとを有する表示入力装置が知られている。この種の表示入力装置は、例えば複写機、ファクシミリー装置、スキャナー装置、複合機、パーソナルコンピューター、及びタブレット型端末のような情報処理装置のユーザーインターフェースとして用いられる。
【０００３】
但し、ユーザーは、タッチパネルの操作時に、操作ボタンを押下したときのような操作の感覚（クリック感）を得ることができない。これに対し、タッチパネルの操作時にその操作が行われたことを振動アニメーションで表示させる技術が知られている（例えば特許文献１参照）。また、タッチパネルの操作時にタッチパネルを振動させることによりユーザーに操作の感覚を伝える技術が知られている（例えば特許文献２参照）。
【先行技術文献】
【特許文献】
【０００４】
【特許文献１】特開２００４−２５３００４号公報
【特許文献２】特開２０１１−０４００２７号公報
【発明の概要】
【発明が解決しようとする課題】
【０００５】
ところで、タッチパネルの操作時にユーザーに操作の感覚を伝える手法として、タッチパネルの裏面に配置された圧電素子を用いてタッチパネルを振動させることが考えられる。但し、ユーザーがタッチパネルに軽くタッチした状態では、圧電素子に歪みが生じていない。そのため、ユーザーの操作に反発する方向の力を作用させる反発用電圧を圧電素子に印加しても、その圧電素子によってユーザーに伝えられる反発力が小さく、操作の感覚を十分にユーザーに伝えることができない。
【０００６】
本発明の目的は、圧電素子を用いてタッチパネルの操作の感覚をユーザーに効果的に伝えることができる表示入力装置及びこれを備えた情報処理装置を提供することにある。
【課題を解決するための手段】
【０００７】
本発明の一の局面に係る表示入力装置は、表示部と、タッチパネルと、圧電素子と、押圧検出手段と、振動制御手段と、を備える。前記タッチパネルは、前記表示部の上面に設けられ、タッチ操作を検出する。前記圧電素子は、前記タッチパネルの表面及び裏面のいずれか一方又は両方に配置されている。前記押圧検出手段は、前記タッチパネルにより検出される前記タッチ操作よりも大きい押圧力による押圧操作を前記圧電素子からの出力電圧に応じて検出する。前記振動制御手段は、前記押圧検出手段により前記圧電素子の押圧操作が検出された場合に、前記押圧操作に反発する方向の力を作用させる反発用電圧を前記圧電素子に印加する。
【０００８】
本発明の他の局面に係る情報処理装置は、表示入力装置を備える。前記表示入力装置は、表示部と、タッチパネルと、圧電素子と、押圧検出手段と、振動制御手段と、を備える。前記タッチパネルは、前記表示部の上面に設けられ、タッチ操作を検出する。前記圧電素子は、前記タッチパネルの表面及び裏面のいずれか一方又は両方に配置されている。前記押圧検出手段は、前記タッチパネルにより検出される前記タッチ操作よりも大きい押圧力による押圧操作を前記圧電素子からの出力電圧に応じて検出する。前記振動制御手段は、前記押圧検出手段により前記圧電素子の押圧操作が検出された場合に、前記押圧操作に反発する方向の力を作用させる反発用電圧を前記圧電素子に印加する。
【発明の効果】
【０００９】
本発明によれば、圧電素子を用いてタッチパネルの操作の感覚をユーザーに効果的に伝えることができる表示入力装置及びこれを備えた情報処理装置が実現される。
【図面の簡単な説明】
【００１０】
【図１】図１は、本発明の実施の形態に係る情報処理装置の構成を示す模式図である。
【図２】図２は、本発明の実施の形態に係る情報処理装置のハードウェア構成を示すブロック図である。
【図３】図３は、本発明の実施の形態に係る表示入力装置を示す図である。
【図４】図４は、本発明の実施の形態に係る表示入力装置のタッチパネルの構成を示す図である。
【図５】図５は、本発明の実施の形態に係る表示入力装置で実行される振動制御処理及び表示制御処理の一例を示すフローチャートである。
【図６】図６は、本発明の実施の形態に係る表示入力装置で表示される振動画像の一例を示す図である。
【発明を実施するための形態】
【００１１】
［画像形成装置１０の概略構成］
まず、本発明の実施の形態に係る画像形成装置１０の概略構成について説明する。なお、図１（Ａ）は前記画像形成装置１０の構成を示す正面模式図、図１（Ｂ）は図１（Ａ）におけるＢ−Ｂ矢視図である。
【００１２】
図１（Ａ）、図１（Ｂ）及び図２に示すように、前記画像形成装置１０は、ＡＤＦ１、画像読取部２、画像形成部３、給紙部４、主制御部５、表示入力装置６、及び通信Ｉ／Ｆ７などを備える。前記画像形成装置１０は、プリント機能、ファクス機能、スキャン機能、及びコピー機能などを備える複合機である。なお、前記画像形成装置１０は、本発明に係る情報処理装置の一例である。本発明は、プリンター、ファクシミリー、コピー機、パーソナルコンピューター、タブレット端末、スマートフォン、及び携帯電話のような情報処理装置にも適用可能である。
【００１３】
前記ＡＤＦ１は、図１（Ａ）に示すように、原稿セット部１１、複数の搬送ローラー１２、原稿押さえ１３、及び排紙部１４を備える自動原稿搬送装置である。そして、前記ＡＤＦ１では、前記搬送ローラー１２各々が不図示のモーターで駆動されることにより、前記原稿セット部１１に載置された原稿が前記画像読取部２による画像データの読取位置である前記原稿押さえ１３の下面を通過して前記排紙部１４まで搬送される。これにより、前記画像読取部２は、前記ＡＤＦ１により搬送される原稿から画像データを読み取ることが可能である。
【００１４】
前記画像読取部２は、原稿台２１、読取ユニット２２、ミラー２３、ミラー２４、光学レンズ２５、及びＣＣＤ（Charge Coupled Device）２６を備える。前記原稿台２１は、前記画像読取部２の上面に設けられた原稿の載置部である。前記読取ユニット２２は、ＬＥＤ光源２２１及びミラー２２２を備え、不図示のモーターによって副走査方向（図１（Ａ）における左右方向）へ移動可能である。前記ＬＥＤ光源２２１は、主走査方向（図１（Ａ）における奥行方向）に沿って配列された多数の白色ＬＥＤを備える。前記ミラー２２２は、前記ＬＥＤ光源２２１から照射されて前記原稿台２１上の読取位置にある原稿の表面で反射した後の光を前記ミラー２３に向けて反射させる。そして、前記ミラー２２２で反射した光は、前記ミラー２３及び前記ミラー２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を原稿の画像データとして前記主制御部５に入力する光電変換素子などを有する。
【００１５】
前記画像形成部３は、前記画像読取部２で読み取られた画像データ又は外部のパーソナルコンピューター等の情報処理装置から入力された画像データに基づいて画像形成処理（印刷処理）を実行する電子写真方式の画像形成部である。具体的に、前記画像形成部３は、図１（Ａ）に示すように、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９を備える。そして、前記画像形成部３では、前記給紙部４に着脱可能な給紙カセット４１から供給される用紙に以下の手順で画像が形成され、画像形成後の用紙が前記排紙トレイ３９に排出される。
【００１６】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の表面に残存したトナーは前記クリーニング装置３６で除去される。
【００１７】
前記主制御部５は、図２に示すように、ＣＰＵ５１、ＲＯＭ５２、及びＲＡＭ５３を有する。前記ＣＰＵ５１は、各種の演算処理を実行するプロセッサーである。前記ＲＯＭ５２は、前記ＣＰＵ５１に各種の処理を実行させるための制御プログラムなどの情報が予め記憶される不揮発性の記憶部である。前記ＲＡＭ５３は揮発性の記憶部であり、前記ＣＰＵ５１が実行する各種の処理の一時記憶メモリー（作業領域）として使用される。なお、前記主制御部５は、ＡＳＩＣ又はＤＳＰのような電気回路であってもよい。
【００１８】
前記通信Ｉ／Ｆ７は、前記画像形成装置１０にインターネット又はＬＡＮのような通信ネットワークを介して接続された外部装置との間でデータ通信を実行するインターフェースである。
【００１９】
［表示入力装置の構成］
次に、前記表示入力装置６について説明する。
【００２０】
前記表示入力装置６は、図２〜図４に示すように、表示制御部６１、表示部６２、タッチパネル６３、振動制御部６４、複数の圧電素子６５１〜６５６、及び操作ボタン６６を備える。図３に示すように、前記操作ボタン６６は、テンキー及びスタートキーなどの各種のハードキーを含み、前記ハードキーの操作信号を前記表示制御部６１に入力する。なお、図４（Ａ）は、前記タッチパネル６３の平面図、図４（Ｂ）は、前記タッチパネル６３の左側面図、図４（Ｃ）は、前記タッチパネル６３の正面図である。
【００２１】
前記表示制御部６１は、ＣＰＵ、ＲＡＭ、及びＲＯＭを有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。また、前記ＲＯＭには、前記タッチパネル６３の操作が行われたことを視覚的に示す振動画像が記憶されている。なお、前記振動画像は、静止画及び動画を含む概念である。前記ＲＡＭは揮発性の記憶部であり、前記ＣＰＵが実行する各種の処理の一時記憶メモリー（作業領域）として使用される。なお、前記表示制御部６１は、ＡＳＩＣ又はＤＳＰのような電気回路であってもよい。また、前記主制御部５が前記表示制御部６１の機能を兼ねることも他の実施形態として考えられる。
【００２２】
前記表示制御部６１は、前記主制御部５からの制御指示に従って前記表示部６２の表示を制御する。前記表示部６２は、例えば液晶表示パネル又は有機ＥＬディスプレイである。前記表示部６２は、前記表示制御部６１によって制御され、各種の情報を表示する。例えば、前記表示部６２には、各種の操作内容に対応するタッチキー及び設定画面などの各種の情報が表示される。また、前記表示制御部６１は、ユーザーによる前記タッチパネル６３のタッチ操作及び前記操作ボタン６６の操作に応じて前記主制御部５に各種の操作信号を入力する。
【００２３】
前記タッチパネル６３は、図４（Ｂ）に示すように、前記表示部６２の上面に設けられている。また、前記表示部６２及び前記タッチパネル６３は、不図示の支持部材によって支持されている。なお、前記タッチパネル６３は、前記表示部６２よりも外径が大きい。図４（Ａ）に示す領域Ｒ１は、前記表示入力装置６において、前記タッチパネル６３が露出している領域である。前記領域Ｒ１の外部領域は、前記表示入力装置６を操作するユーザーから見えないように前記表示入力装置６の筐体により覆われている。
【００２４】
そして、前記タッチパネル６３は、ユーザーによるタッチ操作を検出し、そのタッチ操作の位置を示す位置情報を前記表示制御部６１に入力する。これにより、前記表示制御部６１は、前記表示部６２の現在の表示画面における前記タッチ操作の位置に対応する操作内容として予め設定された操作信号を前記主制御部５に入力することが可能である。具体的に、前記タッチパネル６３は、抵抗の変化により操作位置を検出する抵抗膜方式のタッチパネルである。なお、前記タッチパネル６３は、静電容量の変化により操作位置を検出する静電容量方式のタッチパネルであってもよい。
【００２５】
前記圧電素子６５１〜６５３は、前記タッチパネル６３の裏面に設けられている。より具体的に、図４（Ａ）に示すように、前記タッチパネル６３の上端部（短手方向の一端部）において前記タッチパネル６３の長手方向に予め定められた間隔で配置されている。また、前記圧電素子６５４〜６５６は、図４（Ａ）に示すように、前記タッチパネル６３の下端部（短手方向の一端部）において前記タッチパネル６３の長手方向に予め定められた間隔で配置されている。なお、前記圧電素子６５１〜６５６各々は、ユーザーから見えないように前記領域Ｒ１の外部領域に配置されている。また、前記圧電素子６５１〜６５３と前記圧電素子６５４〜６５６とは、それぞれが前記タッチパネル６３の短手方向において対向するように配置されている。なお、前記圧電素子６５１〜６５６各々は、例えばＰＺＴ（チタン酸ジルコン酸鉛）のような圧電セラミックスの圧電体が一対の電極で挟まれることにより構成される。
【００２６】
前記振動制御部６４は、ＣＰＵ、ＲＡＭ、及びＲＯＭを有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＣＰＵが実行する各種の処理の一時記憶メモリー（作業領域）として使用される。なお、前記振動制御部６４は、ＡＳＩＣ又はＤＳＰのような電気回路であってもよい。また、前記主制御部５又は前記表示制御部６１が前記振動制御部６４の機能を兼ねることも他の実施形態として考えられる。
【００２７】
前記振動制御部６４は、前記圧電素子６５１〜６５６各々に電気的に接続されている。前記振動制御部６４には、前記圧電素子６５１〜６５６に歪みが生じた場合に前記圧電素子６５１〜６５６で発生する電圧が入力される。そして、前記振動制御部６４は、前記圧電素子６５１〜６５６からの出力電圧に応じて、前記タッチパネル６３に対するユーザーの押圧操作を検出する。より具体的に、前記振動制御部６４は、前記タッチパネル６３によって検出されるタッチ操作よりも大きい押圧力が前記タッチパネル６３に作用した場合に、前記圧電素子６５１〜６５６から出力される電圧として予め設定された閾値以上の電圧が入力された場合に、前記押圧操作が行われた旨を検出する。ここに、前記タッチパネル６３の押圧操作を検出するときの前記振動制御部６４が押圧検出手段の一例である。
【００２８】
また、前記振動制御部６４は、不図示の電源から供給される電圧を前記圧電素子６５１〜６５６各々に印加することにより前記圧電素子６５１〜６５６を変位させて振動を発生させることが可能である。そして、前記画像形成装置１０では、前記圧電素子６５１〜６５６の振動を利用して前記タッチパネル６３の操作時にユーザーに操作の感覚が伝達される。より具体的に、前記振動制御部６４は、前記タッチパネル６３に対するユーザー操作が行われた場合に、ユーザーの操作に反発する方向の力を作用させる反発用電圧を前記圧電素子６５１〜６５６に印加することにより、その操作の感覚をユーザーに伝達する。例えば、前記反発用電圧は、前記圧電素子６５１〜６５６をユーザーが押圧操作した場合に、前記圧電素子６５１〜６５６で発生する電圧と逆極性の電圧である。
【００２９】
ところで、ユーザーが前記タッチパネル６３に軽くタッチした状態では、前記圧電素子６５１〜６５６に歪みが生じていない。そのため、ユーザーの操作に反発する方向の力を作用させる反発用電圧を前記圧電素子６５１〜６５６に印加しても、前記圧電素子６５１〜６５６によってユーザーに伝えられる反発力が小さく、操作の感覚を十分にユーザーに伝えることができない。一方、前記画像形成装置１０では、後述するように、前記圧電素子６５１〜６５６を用いて前記タッチパネル６３の操作の感覚をユーザーに効果的に伝えられる。
【００３０】
以下、図５のフローチャートを参照しつつ、前記画像形成装置１０で実行される振動制御処理及び表示制御処理について説明する。なお、前記振動制御処理は、前記振動制御部６４によって実行され、前記表示制御処理は、前記表示制御部６１によって実行される。なお、前記表示制御部６１は、ここで説明する表示制御処理の他に、前記タッチパネル６３のタッチ操作を検出する処理、及び前記表示部６２に各種の情報を表示させる処理なども実行するが、ここでは説明を省略する。
【００３１】
［振動制御処理］
＜ステップＳ１１＞
まず、ステップＳ１１において、前記振動制御部６４は、前記タッチパネル６３の押圧操作を待ち受ける（Ｓ１１：Ｎｏ）。具体的に、前記振動制御部６４は、前記圧電素子６５１〜６５６のいずれかにより予め設定された閾値以上の電圧が入力された場合に、前記タッチパネル６３の押圧操作が行われたと判断する。即ち、前記表示入力装置６において、前記タッチパネル６３の押圧操作は、前記タッチパネル６３のタッチ操作とは区別して検出される操作である。従って、ユーザーが前記タッチパネル６３を操作する過程において、前記タッチパネル６３のタッチ操作が行われた時点では、処理は前記ステップＳ１１で待機している状態であり、その後、前記タッチパネル６３が更に押し込まれた時点で前記押圧操作が行われたと判断される。そして、前記タッチパネル６３の押圧操作が行われた場合には（Ｓ１１：Ｙｅｓ）、処理がステップＳ１２に移行する。
【００３２】
＜ステップＳ１２〜Ｓ１３＞
ステップＳ１２において、前記振動制御部６４は、前記タッチパネル６３の押圧操作が行われた旨を示す押圧信号を前記表示制御部６１に入力する。その後、前記振動制御部６４は、後述するように前記表示制御部６１が前記押圧信号を受信してから前記振動画像を表示するまでの所要時間として予め設定された遅延時間が経過するまで処理を待機する。前記遅延時間は、前記圧電素子６５１〜６５６の振動と前記表示制御部６１の前記振動画像の表示とを同期させるために予め設定された時間である。なお、前記遅延時間の待機が省略された構成も他の実施形態として考えられる。
【００３３】
＜ステップＳ１４＞
そして、前記遅延時間の経過後、ステップＳ１４において、前記振動制御部６４は、前記圧電素子６５１〜６５６に前記反発用電圧を印加することにより前記圧電素子６５１〜６５６を振動させる。より具体的に、前記振動制御部６４は、前記圧電素子６５１〜６５６にユーザーの押圧操作に反発する方向の力を作用させる前記反発用電圧を印加する。ここに、前記圧電素子６５１〜６５６に前記反発用電圧を印加するときの前記振動制御部６４が振動制御手段の一例である。
【００３４】
これにより、前記圧電素子６５１〜６５６各々は、前記振動制御部６４から印加される前記反発用電圧に応じてユーザーによる押圧方向とは反対方向に変位することによってユーザーに衝撃を与える。従って、ユーザーは、前記タッチパネル６３の操作時に、前記圧電素子６５１〜６５６から伝達される衝撃によって操作の感覚を得ることができる。特に、前記振動制御部６４は、前記タッチパネル６３によるタッチ検出時ではなく、前記圧電素子６５１〜６５６からの出力電圧に基づいてユーザーによる押圧操作が検出されたときに、前記圧電素子６５１〜６５６に前記反発用電圧を印加する。従って、前記圧電素子６５１〜６５６が十分に歪んだ状態で逆方向に変位するため、ユーザーに操作の感覚が効果的に与えられる。なお、前記振動制御部６４が、前記反発用電圧を印加した後に、正弦波、矩形波、三角波、又は鋸波などの振動波形を前記圧電素子６５１〜６５６に印加して振動を継続させることも他の実施形態として考えられる。
【００３５】
［表示制御処理］
＜ステップＳ２１＞
一方、ステップＳ２１において、前記表示制御部６１は、前記振動制御部６４からの前記押圧信号の受信を待ち受ける（Ｓ２１：Ｎｏ）。そして、前記表示制御部６１は、前記振動制御部６４から前記押圧信号を受信すると（Ｓ２１：Ｙｅｓ）、処理をステップＳ２２に移行させる。
【００３６】
＜ステップＳ２２＞
ステップＳ２２において、前記表示制御部６１は、前記表示制御部６１のＲＯＭに記憶されている前記振動画像を前記表示部６２に表示させる。これにより、ユーザーは、前記表示部６２における前記振動画像の表示によって、前記タッチパネル６３の操作時にその操作が受け付けられたことを視覚的に認識することができる。
【００３７】
ここに、図６（Ａ）及び図６（Ｂ）は、前記振動画像の一例を示す図である。図６（Ａ）に示す例では、前記表示部６２において前記タッチパネル６３の操作位置Ｐ１を中心に広がる波紋画像６２１が前記振動画像として表示されている。また、図６（Ｂ）に示す例では、前記表示部６２において前記タッチパネル６３の操作位置Ｐ２に表示されていたアイコン画像６２２が揺動する様子が前記振動画像として表示されている。なお、前記振動画像の他の例として、操作されたアイコンの形が歪んだ画像、又は前記表示部６２の表示画面全体が振動している様子なども考えられる。
【００３８】
このように、前記画像形成装置１０では、前記振動制御部６４による前記圧電素子６５１〜６５６の振動及び前記表示制御部６１による前記表示部６２への前記振動画像の表示が共に実行される。そのため、前記画像形成装置１０では、前記圧電素子６５１〜６５６の振動及び前記振動画像の表示によって前記タッチパネル６３の操作が受け付けられたことをユーザーに効果的に伝えることが可能である。特に、前記画像形成装置１０では、前記振動制御部６４により前記ステップＳ１３の待機処理が実行されるため、前記圧電素子６５１〜６５６の振動及び前記振動画像の表示を同時に実行することが可能である。
【００３９】
なお、本実施の形態に係る前記表示入力装置６では、前記タッチパネル６３の裏面に前記圧電素子６５１〜６５６が配置されているが、前記タッチパネル６３の表面及び裏面に分けて前記圧電素子６５１〜６５６が配置されることも他の実施形態として考えられる。例えば、前記圧電素子６５１〜６５６のうち中央の前記圧電素子６５２及び前記圧電素子６５５が前記タッチパネル６３の表面に配置され、前記圧電素子６５１、６５３、６５４、及び６５６が前記タッチパネル６３の裏面に配置される構成が考えられる。もちろん、前記圧電素子６５１〜６５６が前記タッチパネル６３の表面に設けられている構成も他の実施形態として考えられる。
【００４０】
また、前記ステップＳ１４において、前記振動制御部６４が、前記圧電素子６５１〜６５６のうち前記タッチパネル６３で検出されたタッチ位置に対応する圧電素子として予め設定された圧電素子のみに前記反発用電圧を印加することも他の実施形態として考えられる。具体的には、前記タッチパネル６３を予め設定された領域ごとに対応する圧電素子が定められており、前記振動制御部６４は、前記タッチパネル６３で検出されたタッチ位置が属する前記領域に対応する圧電素子のみに前記反発用電圧を印加する。これにより、前記タッチ位置に近い圧電素子のみが振動するため、例えば複数の前記圧電素子６５１〜６５６が同時に振動してその振動が相殺されるような状況が回避される。なお、前記振動制御部６４が、前記タッチパネル６３の押圧操作の位置を、前記圧電素子６５１〜６５６各々から出力される電圧値と押圧操作の位置との関係を示す所定の演算式に従って検出することも考えられる。
【符号の説明】
【００４１】
１  ：ＡＤＦ
２  ：画像読取部
３  ：画像形成部
４  ：給紙部
５  ：主制御部
６  ：表示入力装置
６１：表示制御部
６２：表示部
６３：タッチパネル
６４：振動制御部
６５１〜６５６：圧電素子
６６：操作ボタン
７  ：通信Ｉ／Ｆ
１０：画像形成装置
【図１】
0005972253.tif 000002
【図２】
0005972253.tif 000003
【図３】
0005972253.tif 000004
【図４】
0005972253.tif 000005
【図５】
0005972253.tif 000006
【図６】
0005972253.tif 000007